(57)【要約】【課題】一つの監視区画内に複数の進入者があった場合、監視区画内の進入者状況の確実な把握を可能とし、かつ、その中に不審進入者を検知した際にその不審進入者の確認を可能とする。【解決手段】例えば赤外線センサのような人体センサ２で監視区画１００内のみの進入者を検知し、かつ、その進入者が所持するＩＣカード２００に内蔵する無線タグ２０の書込み情報を無線送受信機３が読み取って進入許可者を認証の場合には監視制御装置１０がそのＩＣカード２００に対する進入許可信号を生成する。また、色表示受信機２１及び色駆動送信機２２を例えば特定小電力無線局により備え、監視制御装置１０がＩＣカード２００に内蔵する色表示受信機２１に上記進入許可信号を色駆動送信機２２を介して送出した際には、色表示受信機２１が内蔵する例えばＬＥＤにより指定色を点灯させて不審進入者と区別する。【選択図】図１
2005182340.tif 000002
【特許請求の範囲】
【請求項１】
防犯センサを備える監視区画への進入者を管理するシステムにおいて
監視区画への進入者が所持するものでＩＤ番号及び進入許可情報が書き込まれた無線タグを有するＩＣカードと、
監視区画内にあって監視区画内への進入者を検知する人体センサと、
前記人体センサが進入者を検知した際にこの検知を受けて前記無線タグとの間で第一の無線電波により情報を授受する無線送受信機と、
進入者の所持するＩＣカードから前記無線送受信機が読取った前記無線タグのＩＤ番号及び進入許可情報を読取り情報として受け、少なくとも受けた読取り情報を認証したＩＣカードの所持者を正常進入者と判断して告知する監視制御側設備とを備える
ことを特徴とする進入者管理システム。
【請求項２】
請求項１に記載の進入者管理システムにおいて、前記監視制御側設備は、正常進入者を認証した時点から前記人体センサの人体検出が消滅するまでの間、前記防犯センサによる監視を解除することを特徴とする進入者管理システム。
【請求項３】
請求項１に記載の進入者管理システムにおいて、
前記ＩＣカードに内蔵され、進入許可信号を第二の無線電波により受けて受けた信号に対応した色表示を行う色表示受信機と、
前記進入許可信号を送出するものであって、検知対象進入者の所持するＩＣカードに内蔵される前記色表示受信機との間で前記第二の無線電波により交信可能な領域内に少なくとも一つの色駆動送信機を更に備え、
前記監視制御側設備は、前記読取り情報を認証した際に前記進入許可信号を生成して前記色駆動送信機を駆動し、第二の無線電波により前記進入許可信号を前記色表示受信機に送出する
ことを特徴とする進入者管理システム。
【請求項４】
請求項３に記載の進入者管理システムにおいて、第二の無線電波を送受する前記色駆動送信機と前記色表示受信機とは日本国の省令に基づく特定小電力無線局であることを特徴とする進入者管理システム。
【請求項５】
請求項３に記載の進入者管理システムにおいて、
前記監視制御側設備は、フラグタイマを有し、前記読取り情報を認証するまでにフラグタイマに設定された時限に到達した際に、不審進入信号を生成して前記色駆動送信機を駆動し、第二の無線電波により前記不審進入信号を前記色表示受信機に送出し、
前記色表示受信機は、前記不審進入信号を受けた際には、前記進入許可信号とは異なる色表示を行う
ことを特徴とする進入者管理システム。
【請求項６】
請求項３に記載の進入者管理システムにおいて、前記色表示受信機は色表示のためにＬＥＤ（発光ダイオード）を搭載することを特徴とする進入者管理システム。
【請求項７】
請求項３に記載の進入者管理システムにおいて、監視区画内を撮影するカメラを前記監視区画内に、また、前記カメラの影像を画面表示する監視コンソールを前記監視制御側設備に、それぞれ更に備えることを特徴とする進入者管理システム。
【請求項８】
請求項３に記載の進入者管理システムにおいて、前記監視制御側設備が検知した正常進入者は勿論、正常進入者以外の進入者を含む全ての進入者に対する進入履歴を順次記録する履歴テーブルを更に備えることを特徴とする進入者管理システム。
【請求項９】
監視区画への進入者は書込み情報としてＩＤ番号及び進入許可情報を書き込まれた無線タグを有するＩＣカードを所持し、監視区画には、前記無線タグとの間で第一の無線電波により前記書込み情報を受ける無線送受信機と、防犯センサとを備えて監視制御装置が監視区画への不審進入者を検出する方法において、
監視区画内でのみ人体を検知する人体センサを監視区画内に、進入許可信号を第二の無線電波で受けて色表示する色表示受信機を前記ＩＣカード内に、かつ前記進入許可信号を送出する色駆動送信機を所定監視区画への進入者の所持するＩＣカードの色表示受信機と交信可能な領域内に、それぞれ備え、
前記人体センサが監視区画内で進入者を検知した際にこの検知を受けて前記無線送受信機が進入者の所持するＩＣカードのＩＤ番号及び進入許可情報を読取り情報として読取りし、
前記監視制御装置はこの読取り情報を認証した際に前記色駆動送信機を駆動して進入許可信号を第二の無線電波により前記色表示受信機に送出し、
前記表示受信機が進入許可信号に基づく所定の色表示を行う
ことを特徴とする不審進入者の検出方法。
【請求項１０】
請求項３に記載の進入者管理システムにおいて、前記監視制御装置は検知した正常進入者は勿論、正常進入者以外の進入者を含む全ての進入者に対する進入履歴を順次記録して履歴テーブルを作成することを特徴とする不審進入者の検出方法。
【請求項１１】
請求項３に記載の進入者管理システムにおいて、監視区画内を撮影するカメラと前記カメラの影像を画面表示する監視コンソールとを更に備え、少なくとも前記不審進入者の判定があった際にはカメラの影像を前記監視コンソールに画面表示することを特徴とする不審進入者の検出方法。
【発明の詳細な説明】
【技術分野】
【０００１】
本発明は、所定の監視区画に進入した者の入退場を管理できるシステム、及び侵入者すなわち不審進入者の検出方法に関するものである。
【背景技術】
【０００２】
従来の不審進入者の検出方法としては、例えば、特定の監視区画に侵入者検出のための防犯センサを設け、防犯センサの検知信号を受けて警報するように構成されている。個室における防犯センサには、窓に対する硝子破壊検知器、室内の赤外線式人体検出器などがある。このようなシステムに対して警備員が各個室を巡回する際には個室への入場の都度、防犯センサの作動を解除する必要がある。
【０００３】
例えば特許文献１に開示された巡回システムでは、無線送受信機を内蔵し巡回箇所が予め登録されたＩＣ（集積回路）カードを巡回員が携帯所持する。したがって、各個室の出入り口外側のアンテナに接続される送受信機でＩＣカードの登録事項を認識した際に上記防犯センサの監視が解除され、視察が終わって個室から離れた際に防犯センサを監視状態にしている。
【０００４】
また、例えば、特許文献２に開示された入退場者の管理システムでは、出入口に赤外線センサなどの入退場者検出手段と、入退場者が所持する無線送受信機を内蔵し通行許可を予め登録したＩＣカードからアンテナを介した送受信機が登録事項を認識した際に、別に設けられた不審進入者検知器を解除、またはその検知を無効としている。
【０００５】
特許文献１及び特許文献２は、両者共に、無線送受信機を内蔵し進入許可を予め登録したＩＣカードを携帯することにより、進入許可された区画の送受信機がアンテナを介してＩＣカードに登録された進入許可を認識した際に、区画内への侵入者を検知する防犯センサの作動を無効にするので、入退場者に対する防犯センサの誤動作が防止できると共に入退場者の入退場に際して煩雑な操作を不要にできる。
【０００６】
更に、例えば特許文献３に開示された侵入者検出方法では、所定区画で進入者を検出した際に、進入者を複数種に判別しその判別に基づいて適切な措置を取っている。すなわち、進入者が無線送受信機を内蔵して進入許可の記録を有するＩＣカードを所持しており、区画の出入口ではＩＣカードと無線で情報を送受信する無線送受信機が備えられている。従って、例えば進入者が進入許可を有するＩＣカードを所持している場合には特別な確認はなしとし、ＩＣカード所持者でも進入許可のない者には警備員などの派遣による確認、またＩＣカードの不携帯者は不審進入者として防犯体制をとるなどの措置がとられる。
【０００７】
ＩＣカードに内蔵される無線送受信機には、最近広く採用されている無線タグ（ＲＦタグ）が用いられる。無線タグは、例えば物品に取り付けて外部からのマイクロ波帯無線電波により非接触でその物品の識別が可能となるＲＦＩＤ（無線電波識別：Ｒａｄｉｏ  Ｆｒｅｑｕｅｎｃｙ  Ｉｄｅｎｔｉｆｉｃａｔｉｏｎ）機能を有する極小サイズのタグである。
【０００８】
この従来の不審進入者検出システムについて、図６を参照して説明する。
【０００９】
図示されるように、このシステムには、複数の監視区画１００それぞれに対して防犯センサ１０１、区画の出入口に入退場者センサ１０２、無線送受信機１０３、及びこれらを制御する監視制御装置１１０が備えられる。また、入場者は無線タグ２０を内蔵するカードの携帯が義務付けられる。監視制御装置１１０はＬＡＮ（Ｌｏｃａｌ  Ａｒｅａ  Ｎｅｔｗｏｒｋ）３０を介して監視センター１４０に接続される。
【００１０】
防犯センサ１０１には、例えば、窓ガラスの破損検出器、人体の体温を検知する赤外線センサなどがある。入退場者センサ１０２は、例えば通路を横断する赤外線送受信機であるものとする。無線送受信機１０３はアンテナ１２１を介して無線タグ２０を駆動し、ＩＣチップ１２２内に予め登録された進入許可情報などの情報を受ける。無線送受信機１０３は出入口に備えて入退場者センサ１０２を兼用することもできる。監視制御装置１１０は、防犯センサ１０１、入退場センサ１０２、及び無線送受信機１０３と接続して情報を授受し、ＬＡＮ３０を介して監視センター１４０に監視情報を送ると共にシステムの動作機能を制御する。監視コンソール１４１は、監視制御装置１１０から受けた情報を表示すると共に所定の処理を行う。
【００１１】
次に、図７を参照して無線タグ２０について説明する。図示される無線タグ２０は、内部にアンテナ１２１とＩＣチップ１２２とを有しており、ＩＣチップ１２２にはアンテナ１２１と接続する送受信部１２３、制御部１２４、およびＩＣメモリ１２５が含まれる。ＩＣメモリ１２５にデータを書き込み、またはＩＣメモリ１２５に書き込まれたデータを読み取るための読取り書込み器５０が無線タグ２０に対応して用意され、読取り書込み器５０により監視のための情報がＩＣメモリ１２５に書き込み登録される。
【００１２】
すなわち、図６における監視区画１００の無線送受信機１０３は、図７における読取り書込み器５０のアンテナ５１及び送受信部５２に相当し、無線タグ２０のアンテナ１２１が近づいた際に無線送受信機１０３から無線電波を送信する。無線タグ２０は、無線送受信機１０３から無線電波を受けて誘導電力を発生し、この誘導電力によりＩＣチップ１２２が駆動される。無線送受信機１０３からの読取り要求に対して、送受信部１２３が制御部１２４の制御によりＩＣメモリ１２５に記憶された情報を送信する。
【００１３】
次に、図８に図６を併せ参照して、進入者管理システムの動作について説明する。防犯センサ１０１は防犯監視の作動状態であるものとする。
【００１４】
監視センター１４０の監視コンソール１４１からＬＡＮ３０を介した指示により、監視制御装置１１０は監視区域１００における入退場者センサ１０２及び無線送受信機１０３を作動させて入場者の監視を開始（手順Ｓ１０１）する。入場者があって入退場者センサ１０２が通路を横断する赤外線の瞬断を検出したことによりその入場者を検知（手順Ｓ１０２のＹＥＳ）した場合、監視制御装置１１０は無線送受信機１０３からの信号を待つ。
【００１５】
入場者が無線タグ２０を所持しているならば、無線送受信機１０３が無線タグ２０を検知（手順Ｓ１０３のＹＥＳ）して監視制御装置１１０に検知情報を送る。監視制御装置１１０は、その登録情報を認証（手順Ｓ１０４のＹＥＳ）した際には、防犯センサ１０１の作動を停止させる防犯監視解除（手順Ｓ１０５）となり、防犯センサ１０１による出力信号は無視する。
【００１６】
入場者が退場して無線送受信機１０３から無線タグ２０の検知が消滅（手順Ｓ１０６のＹＥＳ）した際、監視制御装置１１０は、防犯センサ１０１を作動状態にして防犯監視を再び開始（手順Ｓ１０７）させると共に、入場者の監視を継続して入場者の検知を行う上記手順Ｓ１０２に戻り手順を繰り返す。
【００１７】
上記手順Ｓ１０３又は手順Ｓ１０４が「ＮＯ」の場合には、監視制御装置１１０は、不審進入者ありの警報と共にその状態を監視センター１４０に通知し、その状態により、監視センター１４０では警備員の派遣又は防犯体制の形成（手順Ｓ１２０）を実行する。
【００１８】
上述した従来の不審進入者の管理システムでは、無線タグと無線送受信機とが稼動する無線システムでは隣接する監視区域で無線の検知領域が重なる場合があり、入退場者センサと連動しても複数の進入者個人に対しては不審進入者の確定が困難である。また、入退場者センサで入場者と退場者が区別できても、間口が広い場合には人数の確認ができず、監視区画内の確実な人数把握はできない。更に、監視区画内で不審進入者を検知しても不審進入者を外観では識別できないので、複数の進入者があり、その中に不審進入者が含まれる場合にはその該当者の確認ができないため、防犯上における不備があった。
【特許文献１】特開平２−１２１１００号公報
【特許文献２】特開２００２−３３４３８２号公報
【特許文献３】特許第２６０５０１４号公報
【発明の開示】
【発明が解決しようとする課題】
【００１９】
解決しようとする課題は、一つの監視区画内に複数の進入者があった場合、その退場者を正確に把握できないので監視区画内の進入者状況を正しく確認できないことであり、更に、その中に不審進入者を検知した際でもその不審進入者を確認できないことである。
【課題を解決するための手段】
【００２０】
本発明は、一つの監視区画内に複数の進入者があった場合、監視区画内の進入者状況を確実に把握できること、かつ、その中に不審進入者を検知した際にその不審進入者を確認できることを目的としている。
【００２１】
このため、進入許可を受けた個人は、ＩＣカードを所持することとし、このＩＣカードには書込み情報として少なくともＩＤ番号及び進入許可情報が書き込まれた無線タグを内蔵する。また、監視区画内では無線タグと第一の無線電波により交信し読取り情報として少なくともＩＤ番号及び進入許可情報を読取る無線送受信機に加えて、進入者の人体を検知する例えば赤外線センサのような人体センサを備える。
【００２２】
この人体センサ及び無線送受信機の連携によりにより、監視区画内に存在する進入者のみを検出できるので入退場者を正しく確認することができる。更に、不審進入者を確認するためには監視区画内部を撮影するカメラの設置が望ましい。
【００２３】
また、ＩＣカードには上述した無線タグに加えて色表示受信機を内蔵する。色表示受信機は、例えば日本国における無線従事者資格及び無線局免許の取得が不要な特定小電力無線局の受信機であり、更に例えばＬＥＤ（発光ダイオード）を備えて、これを対応する送信機から受けた受信信号例えば進入許可信号又は不審進入信号それぞれに従った色により点灯または点滅という色表示を行う。
【００２４】
監視制御側設備では、色表示受信機に信号を送って所定の色表示をさせる色駆動送信機が上記特定小電力無線局の規格により備えられている。監視制御側設備では、無線タグの監視により無線タグから上記書込み情報を第一に無線電波により読取って進入許可を認証した際に、その認証で色駆動送信機から進入許可信号を送付して色表示受信機を例えば緑色に点灯させることを主要な特徴とする。
【００２５】
また、監視制御側設備で無線タグの監視により無線タグの認証、不認証などの検知状況を判定した際には、それぞれの検知状況に従って色駆動送信機から異なる信号を送付し、色表示受信機の色表示を変化させることもできる。
【００２６】
具体的には、監視区画内に進入者を検知する人体センサと、ＩＣカードの無線タグに記録された情報を取得する無線送受信機と備え、監視制御側設備で監視制御装置が人体センサから人体の検出信号を受けた際に無線送受信機を駆動して進入者の無線タグを検索する。監視制御装置では、無線タグが検知できて少なくともＩＤ番号及び進入許可情報が読取り情報として得られた場合には正常進入者、それ以外では不審進入者それぞれを選択する。
【００２７】
監視制御としては、正常進入者が保持するＩＣカードの色表示受信機に進入許可信号を送り、例えば緑色の点灯を表示させる。他方、無線タグが検知できなかった場合、又は無線タグから進入許可が検知できなかった場合には、不審進入信号により監視制御側設備の監視センターに不審進入者ありの警報を通知する。この場合、監視制御側設備では不審進入者が保持するＩＣカードの色表示受信機に不審進入信号を送ることにより、色表示受信機が進入許可と区別される例えば赤色の点滅を表示する。
【発明の効果】
【００２８】
本発明の進入者管理システム及び不審進入者の検出方法では、監視区画内の人体センサで進入者を検知し、検知した際に進入者が保持するＩＣカードの無線タグからＩＤ番号及び進入許可を監視制御側設備で検知している。したがって、人体センサが監視区画内のみの人体を感知するので、設置された監視区画内での進入者の有無が確実に判断できる。また、ＩＤ番号及び進入許可の検知に基づいて監視制御側設備から該当するＩＣカードの色表示受信機に進入許可信号を送付しているため、ＩＣカードの色表示受信機で進入許可に対応する所定の色が表示できるので、この色表示があるＩＣカードの所持者以外は不審進入者であるということが容易に想定できるという利点がある。また、これら情報を監視制御側設備の監視センターが収集することにより進入者の状況管理が容易で確実に可能である。
【発明を実施するための最良の形態】
【００２９】
一つの監視区画内に複数の進入者があった場合、監視区画内の進入者を確実に把握して管理でき、かつ、その中に不審進入者を検知した際にはその不審進入者を確認できるという目的を下記の構成で達成している。
【００３０】
まず、少なくともＩＤ番号及び進入許可情報が予め書込み情報として登録され第一の無線電波で書込み情報を送信可能な無線タグと、第二の無線電波により情報の授受が可能な色表示受信機とを内蔵するＩＣカードを進入者に所持させている。一方で、監視区画内のみでの進入者を検知する人体センサと、第一の無線電波により無線タグの上記書込み情報から少なくともＩＤ番号及び進入許可情報を含む読取り情報を受ける無線送受信機と、第二の無線電波により色表示受信機に色表示として色及びその表示状態を指示する色駆動発信機とを備えている。
【００３１】
このような構成により、監視制御側設備で、人体センサが進入者を検知した際に無線送受信機が無線タグから上記読取り情報を受け、受けた読取り情報に基づいて正常進入者か不審進入者かを判定して色駆動送信機から進入許可信号又は不審進入信号を送ることにより、色表示受信機に所定の色表示をさせている。従って、本発明の目的を従来の設備に小規模の色表示の機器を加えることのみで経済性を損なわずに実現した。
【００３２】
以下に、図面を参照していくつかに実施の形態について説明する。図面では、説明のため本発明に係る部分は示されているが、紙面の都合でシステムとして機能上必要な構成要素でも省略されているものがある。
【実施例１】
【００３３】
本発明の実施例１について図１を参照して説明する。
【００３４】
図１は、本発明による進入者管理システムにおけるブロック構成の基本の一形態を示す図である。図示される進入者管理システムは、防犯センサ１、人体センサ２、無線送受信機３、カメラ４、監視制御装置１０、フラグタイマ１１、無線タグ２０、色表示受信機２１、色駆動送信機２２、ＬＡＮ３０、監視センター４０、監視コンソール４１、及び履歴テーブル４２により構成されており、監視区画１００への進入者には、ＩＣカード２００の携帯が義務付けられる。
【００３５】
監視対象の監視区画１００に対して、この監視区画１００内に設けられる防犯センサ１、人体センサ２、無線送受信機３、及びカメラ４と、監視を制御する監視制御装置１０とが備えられる。また、ＩＣカード２００には無線タグ２０及び色表示受信機２１が内蔵されている。更に、監視制御側設備として、監視制御装置１０はＬＡＮ３０を介して監視センター４０に接続される。
【００３６】
従来と相違する特徴は、人体センサ２、カメラ４、フラグタイマ１１、色表示受信機２１、及び色駆動送信機２２にある。
【００３７】
人体センサ２及びカメラ４は監視区画１００の内部に限定して各種の検出が可能であり、監視区画１００内部の状況が把握できる。フラグタイマ１１は不審進入者を確実に認識するために設けられる。色表示受信機２１及び色駆動送信機２２は、一つの無線システムを構築して信号の授受を行う。色駆動送信機２２は複数の監視区画１００が集中した形式で纏まっているものであれば監視センター４０に接続してシステムに一つを備えてもよいが、地域ごと、更には区画ごとの監視制御装置に接続される構成でもよい。この無線システムには、無線タグ２０に対しては勿論だが他の無線システムに悪影響のない、例えば特定小電力無線局を採択することができる。
【００３８】
防犯センサ１には、例えば、窓ガラスの破損検出器、監視区画１００内の人体の体温を検知する赤外線センサ、進入者確認の監視カメラ、窓からの侵入を検知するためのマグネットセンサ、火災などを検知するための煙センサなどが含まれる。人体センサ２は、例えば監視区画１００内のみで人体の体温を感知する赤外線センサであればよく、防犯センサを兼ねることができる。人体センサ２による検知範囲は監視区画１００内に限定されるので、後述する無線送受信機３と連携して使用することにより無線送受信機３の検知領域を限定することができ、監視区画を限定した進入者を確実に検知できる。
【００３９】
無線送受信機３は、マイクロ波帯のＲＦＩＤを用い、無線タグ２０に対応する読取り書込み用送受信機であり、アンテナを介して無線タグ２０を駆動し、無線タグ２０内に予め書き込まれたＩＤ番号及び進入許可情報などの情報を読取り情報として受ける。カメラ４は、撮像カメラであり、監視制御装置１０の制御を受けて監視区域１００内部を撮影するように動作し、防犯センサを兼ねるものとする。防犯監視中のカメラ４が動きのある映像を捕らえた場合、監視制御装置１０がこれを検知して防犯体制を確立することもできる。また、防犯監視解除中に複数の進入者が移動する場合でも、カメラ４はＩＣカード２００の色表示受信機２１の色表示を認識することができるので、監視コンソール４１の表示画面を利用することにより不審進入者が検知された場合の確認に有効である。
【００４０】
監視制御装置１０は、防犯センサ１、人体センサ２、無線送受信機３、及びカメラ４と接続して情報を授受し、それらの動作を制御する。また、監視制御装置１０は、ＬＡＮ３０を介して監視センター４０に接続して監視情報を送ると共に制御を監視センター４０から指示を受けて、システムの動作機能を制御する。監視コンソール４１は、監視制御装置１０から受けた情報を表示すると共に所定の処理を行い、管理者の操作を受けて監視制御装置１０を手動により制御することができる。フラグタイマ１１は、監視制御装置１０が人体センサ２の検知通知を受けた後、不審進入者を確定するものであり、更に、無線送受信機３で無線タグ２０から進入許可情報を確実に得るためにも有効である。
【００４１】
ＩＣカード２００に内蔵される無線タグ２０は図７を参照して既に説明しているものである。すなわち、従来と同様、無線タグ２０には特定の読取り書込み器により、ＩＣカード所持者の個人情報、監視区画への進入許可情報などが予め書き込まれている。従って、監視区画１００内の無線送受信機３との無線電波授受により、無線タグ２０内部に書き込まれている書込み情報を監視制御装置１０に取り込むことができる。
【００４２】
ＩＣカード２００に内蔵される色表示受信機２１は、色表示可能な例えばＬＥＤ（発光ダイオード）を有しており、監視センター４０と接続する色駆動送信機２２から受ける指示にしたがって発光する。色駆動送信機２２は、色表示受信機２１に対応する送信機であり、監視制御装置１０から監視センター４０を介して色表示受信機２１へＩＣカードを識別する識別信号により、例えば進入許可情報を認識できた無線タグ２０を有するＩＣカード２００には緑色にＬＥＤを点灯させるように指示し、認識できなかった場合には赤色にＬＥＤを点滅させるよう指示する。
【００４３】
上述したように、無線タグと通信する無線送受信機は通常監視区画外までの通信域を有するが、監視区画内のみで人体を感知する人体センサと連携することにより監視区画内の進入者に限定した明確な通報が可能になる。
【００４４】
次に、図１に図２のタイムチャートを併せ参照して監視とその状態を関係付けて説明する。
【００４５】
監視センター４０の監視コンソール４１から監視区画１００の監視開始が指示された際には、監視制御装置１０がＬＡＮ３０を介してその開始指示を受け、監視区画１００内の防犯センサ１、人体センサ２、及びカメラ４を作動させて、防犯監視状態を「オン」とする。
【００４６】
この状態で監視区画１００に進入者があった場合、人体センサ２がこれを検知して監視制御装置１０へ通知するので、監視制御装置１０は無線送受信機３を起動して進入者が所持するＩＣカード２００の無線タグ２０から所持者の個人情報と進入許可情報とを検索する。不審進入者の場合の確認時間は待機時間として監視制御装置１０のフラグタイマ１１に設定される。
【００４７】
無線タグ２０から受けた読取り情報から進入許可の認証が得られた場合、監視制御装置１０は、防犯監視状態を解除して防犯センサ１を無視すると共に、例えば人体センサ２、無線送受信機３、及びカメラ４を進入者動向の監視に用いる。無線タグ２０の認証が得られた際には、監視センター４０がこの情報を受け、無線タグ２０の認証データに基づいて色駆動送信機２２を駆動し、色駆動送信機２２から認証できたＩＣカード２００の色表示受信機２１に進入許可信号を送る。色表示受信機２１では、受けた進入許可信号に基づいて、例えば緑色にＬＥＤを点灯させる。
【００４８】
進入者が監視区画１００から退場して人体センサ２の検知が消滅した際に人体センサ２は待機状態になるので、監視制御装置１０は、防犯センサ１を「オン」状態にして防犯監視を再開する。無線送受信機３は無線タグ２０の書込み情報の検知を消滅するまで続ける。検知の消滅に従って色駆動送信機２２の進入許可信号は消滅するので色表示受信機２１の緑点灯も消滅する。
【００４９】
防犯監視中、防犯センサ１、人体センサ２などにより不審状態を検知した場合には、図示されていないが、監視制御装置１０が監視センター４０に通知して所定の措置が実行される。人体センサ２の検知があった場合、上記フラグタイマ１１の待機時間内にＩＣカードが認証されない場合、不審進入者とされる。
【００５０】
監視区画１００が複数の場合、それぞれの監視区画１００に対応して監視制御装置１０が備えられる。複数の監視制御装置１０はＬＡＮ３０を介して一つの監視センター４０にアクセスする。監視センター４０の監視コンソール４１は例えばパーソナルコンピュータ（ＰＣ）であり、各種のデータ処理を行う中で、例えば、監視制御装置１０に接続されている構成機器の状態の閲覧、区画ごとの入場者状況、入場許可などを一元管理することができる。
【００５１】
次に図３にシステムの動作概要を示す。図面では紙面の制限により主要手順のみが記載されており、図１及び図２を併せ参照して以下に詳細を説明する。
【００５２】
まず、区画ごとに監視センター４０が監視制御装置１０に指示して人体センサ２の監視を開始（手順Ｓ１）することにより、防犯センサ１及びカメラ４による防犯監視を開始（手順Ｓ２）するなどして、全ての監視が「オン」状態となる。
【００５３】
ここでこの区画に一人の進入者がいた場合、人体センサ２が進入者を検知（手順Ｓ３のＹＥＳ）する。監視制御装置１０は人体検知の通知を受けたことにより無線送受信機３を作動させると共に監視区画１００への「進入者あり」を監視センター４０に通知する。勿論、カメラ４でも進入者の検知は可能である。人体検知は監視区画１００内部に限定されるので、上記手順により、監視区画１００外の無線タグに反応する無線送受信機３の誤動作を避けることができる。監視センター４０では「進入者あり」の通知により、履歴テーブル４２の監視区画１００領域に例えば入場時刻及び滞在マークが記録されるなど、進入者に係る状態変化がその都度記録される。
【００５４】
進入者が進入許可の無線タグ２０を有するＩＣカード２００を所持する場合、無線送受信機３が無線タグを検知（手順Ｓ４のＹＥＳ）した後、その登録情報を読取り情報として取り込むので、監視制御装置１０は、読取り情報によりその無線タグ２０を認証（手順Ｓ５のＹＥＳ）することができる。この結果、監視制御装置１０は、防犯センサ１の防犯監視中の状態を解除（手順Ｓ６）して防犯センサ類の検知を無視する状態にする。また、この時点で後述する手順Ｓ１２でのフラグタイマ１１の起動が既にあり、フラグタイマ１１が稼働中の場合にはフラグタイマ１１を停止して初期状態に戻す。従って、連続した進入者は順次フラグタイマ１１による待機時間を保持することができる。
【００５５】
監視制御装置１０は認証登録情報を監視センター４０に送るので、監視センター４０は、色駆動送信機２２に指示し、受けた情報に基づくＩＣカード２００の色表示受信機２１に進入許可信号を送る。進入許可信号を受けた色表示受信機２１は進入の認証色、例えば緑色を点灯（手順Ｓ７）する。
【００５６】
一方、監視制御装置１０は、通信可能範囲で他の無線タグを検知したが読取り情報を認証できなかった無線タグ２０あり（手順Ｓ８のＹＥＳ）の場合、無線タグの読取り情報認証手順である上記手順Ｓ５に戻り手順を繰り返す。また、監視制御装置１０は、上記手順Ｓ８が「ＮＯ」で次の未認証無線タグがない条件で、かつ人体検知が消滅（手順Ｓ９のＹＥＳ）した際には、監視区画１００内には進入者不在と判断して、防犯監視を開始する上記手順Ｓ２に手順を戻す。また、上記手順Ｓ９が「ＮＯ」で人体検知が続く間は、上記手順Ｓ８に戻りこの手順を繰り返す。
【００５７】
上記手順Ｓ４及びＳ５が「ＮＯ」で、監視制御装置１０が無線送受信機３から無線タグ２０の検知不能または認証不能の場合、最初はフラグタイマ１１が稼動していない（手順Ｓ１１のＮＯ）ので、監視制御装置１０は、不審進入者確認のフラグタイマ１１を起動（手順Ｓ１２）する。続く手順は、このタイマ時限に到達（手順Ｓ１３のＹＥＳ）するまで手順Ｓ１３の「ＮＯ」から上記手順Ｓ４に戻り、手順Ｓ５と共に「ＮＯ」からの手順を繰り返す。従って、このタイマ時限の間に無線タグ２０の記録情報を確実に認証できるので、不審進入者の誤検出とそれによるアラームの発生を予防できる。
【００５８】
この手順の間に、上記手順Ｓ１３が「ＹＥＳ」になりタイマ時限に到達した場合、監視制御装置１０は、監視フラグを「オン」に設定（手順Ｓ１４）して不審進入者検出とし、不審進入信号を監視センター４０へ送る手順Ｓ２０に進む。手順Ｓ２０に本発明の特徴が含まれている。
【００５９】
手順Ｓ２０では、監視センター４０が、履歴テーブル４２に不審進入者状況を記録すると共に所定のアラームを発生し、保守要員に知らせて、監視フラグを初期状態の「オフ」に戻す。一方、不審進入信号を受けた監視センター４０は、色駆動送信機２２を駆動して、不審進入者のＩＤ番号を有するＩＣカード２００の色表示受信機２１に不審進入信号を送る。色表示受信機２１は不審進入信号を受けて不審色表示としてＬＥＤを赤色点滅させる。
【００６０】
監視制御装置１０は、手順Ｓ２０に続き、上記手順Ｓ８に手順を進める。従って、監視センター４０のテーブルからＩＤ番号が検知されたにもかかわらず未認証の無線タグ２０がある場合には再度、無線タグ２０を認証する上記手順Ｓ５に戻ることができる。このため、最初の進入許可者が入場して防犯監視解除になった後には、入場した進入許可者を誤って不審進入者として万一一時不審色の赤色点滅表示されても、その後、認証されるので認証色の緑色点灯に切り換えることができる。
【００６１】
また、進入者がＩＣカードを所持しない場合または無線タグの検知ができなかった場合、進入者のＩＤ番号がないので赤色点滅を確認できない。したがって、例えば、警備員を現地区画に派遣するか又はカメラ４により、現場で緑色点灯のＩＣカード２００をもたない入場者を不審進入者として確認し検出することができる。
【００６２】
上述したように、本発明によれば、人体センサが監視区画内のみの進入許可者を検知し、かつ進入許可者の所持するＩＣカードに色駆動送信機から識別信号を送ることにより少なくとも進入許可を認証された進入者の色表示受信機に色表示させることができるので、不審進入者を正常進入者から区別することが容易にできる。さらに、入場者全員に所定のＩＣカードを所持させ、不審色を表示することにより不審進入者を容易に識別できる。
【実施例２】
【００６３】
本発明の実施例２について図４を参照して説明する。
【００６４】
図４は、本発明による進入者管理システムにおけるブロック構成の実施例２の一形態を示す図である。図示される進入者管理システムが上記実施例１と相違する点は、人体センサ２が赤外線センサ２−Ａ、色表示受信機２１が特定小電力受信機２１−Ａ、色駆動送信機２２が特定小電力送信機２２−Ａ、監視センター４０が監視センター４０−Ａ、及び履歴テーブル４２が履歴テーブル４２−Ａに変更されていることであり、監視センター４０−Ａには入場状況テーブル４２−Ｂが追記されていることである。これ以外の構成要素は図１と同一である。
【００６５】
赤外線センサ２−Ａは監視区画１００内のみで人体の体温を感知して監視制御装置１０に通知する。特定小電力受信機２１−Ａ及び特定小電力送信機２２−Ａは、日本国の省令で定められる特定小電力無線局における受信機及び送信機それぞれであり、特定小電力受信機２１−ＡはＬＥＤを有し、特定小電力送信機２２−Ａから信号を受けて所定のモードで発光する。特定小電力送信機２２−Ａは監視センター４０−Ａに接続して進入者管理システムに一つを備えるものとし、ＩＤ番号を指定してＩＣカード２００に内蔵する特定小電力受信機２１−Ａを呼び出し、ＬＥＤを所定モードで発光させる。
【００６６】
特定小電力無線局は、周囲の無線システムに影響を及ぼさない小電力を用いて無線通信するものであり、省令で定められた識別信号を自動的に送受信する、所定の技術基準適合証明を受けた小電力により送受信する無線局の総称であり、利用者資格または無線局免許の取得を必要としないものである。
【００６７】
すなわち、ＩＣカード２００に内蔵される特定小電力受信機２１−Ａは、色表示可能なＬＥＤを有し、監視センター４０−Ａと接続する特定小電力送信機２２−Ａから受ける指示にしたがって発光する。特定小電力送信機２２−Ａは、特定小電力受信機２１−Ａに対応しており、監視制御装置１０から監視センター４０−Ａを介して特定小電力受信機２１−Ａへ、例えば進入許可情報を認識できた無線タグ２０を有するＩＣカード２００には緑色にＬＥＤを点灯させるように進入許可信号により指示し、認識できなかった場合には赤色にＬＥＤを点滅させるよう指示する不審進入信号を送る。
【００６８】
上述したように、構成及びその機能は上記実施例１と同様であり、動作手順の説明は省略する。
【実施例３】
【００６９】
次に、本発明の実施例３について図４及び図５を併せ参照して説明する。
【００７０】
実施例３は、進入者管理のために用意された監視センター４０−Ａの履歴テーブル４２―Ａ又は入場状況テーブル４２−Ｂにおける実施例である。
【００７１】
図示される履歴テーブル４２−Ａは一つの監視区画を対象とした入場者履歴を時系列に画面表示した例である。図示される入場状況テーブル４２―Ｂは一つの監視区画を対象とした入場者状況を画面表示した例である。
【００７２】
履歴テーブル４２−Ａでは、「異常」の列では正常「０」と異常「１」とがあり、ＩＤ（識別）番号は無線タグ２０に記録された個人番号である。入場及び退場にはそれぞれの発生時刻が示されている。「認証」では、できた場合を「１」とし、それ以外を「０」としている。「滞在中」が「１」である。図３では入退場の時刻が記録されるので、「滞在」の列は不要にできる。
【００７３】
入場状況テーブル４２−Ｂでは、進入許可者のＩＤ番号を正常の「０」マークと共に予め登録する。監視制御装置１０で無線タグ２０の登録情報を得た際に、監視センター４０の入場状況テーブル４２―Ｂに入場許可を確認することができる。入場許可されない進入者に対しては異常処理がなされる。
【００７４】
従って、監視センター４０−Ａの監視コンソール４１では表示画面に履歴テーブル４２―Ａ又は入場状況テーブル４２−Ｂのデータを呼び出して監視区画における進入者状況を随時確認することができる。上述したように、各テーブルでは赤外線センサ２−Ａと無線送受信機３との連携でデータ収集するので、監視区画１００内の進入者を確実に把握することができる。
【実施例４】
【００７５】
上述した実施例２において、入場状況テーブル４２−Ｂに入場許可のＩＤ番号を登録し、進入者のＩＤ番号と照合する手順を設ける場合、入場許可者を監視コンソールから随時変更可能であり、進入者管理に融通性が増す。
【００７６】
上記実施例２では、色表示受信機２１と色駆動送信機２２を特定小電力無線局とし、色表示をＬＥＤにより行うとしたが、同様の機能を実現するものであれば他の無線手段または表示手段であってもよい。
【産業上の利用可能性】
【００７７】
人体センサ又は撮像カメラの動き画像からの検知手段を用いることによって個室などの監視区画内でのみ侵入者を感知できるので入場者を確実に把握する用途に適用できる。更に、個人が所持するＩＣカードに、第一の無線電波を用いて、情報の書込み読取りができる無線タグと、第二の無線電波を用いて色表示を指定できる色表示受信機とを用いることによって、無線タグに書き込まれたＩＤ情報から個人の特定ができるので、集合する複数人の中から特定個人を容易に識別する用途にも適用できる。
【図面の簡単な説明】
【００７８】
【図１】不審進入者の検出方法を用いた進入者管理システムにおける機能ブロックの実施の基本形態を示した説明図である。（実施例１）
【図２】図１の主要構成要素における相互関連動作の実施の一形態を示したタイムチャートである。（実施例１）
【図３】図１における主要動作手順の実施の一形態を示したフローチャートである。（実施例１）
【図４】不審侵入者の検出方法を用いた進入者管理システムにおける機能ブロックの実施の一形態を示した説明図である。（実施例２）
【図５】本発明による進入者管理システムにおける履歴テーブル（Ａ）及び入場状況テーブル（Ｂ）の実施の一形態を示した説明図である。（実施例３）
【図６】従来の不審侵入者の検出方法を用いた管理システムにおける機能ブロックの一例を示した説明図である。
【図７】従来の無線タグに係る機能ブロックの一例を示した説明図である。
【図８】図６における主要動作手順の一例を示したフローチャートである。
【符号の説明】
【００７９】
１    防犯センサ
２    人体センサ
２−Ａ    赤外線センサ
３    無線送受信機
４    カメラ
１０    監視制御装置
１１    フラグタイマ
２０    無線タグ
２１    色表示受信機
２１−Ａ    特定小電力受信機
２２    色駆動送信機
２２−Ａ    特定小電力送信機
３０    ＬＡＮ
４０、４０−Ａ    監視センター
４１    監視コンソール
４２、４２−Ａ    履歴テーブル
４２−Ｂ    入場状況テーブル
１００    監視区画
２００    ＩＣカード
【図１】
2005182340.tif 000003
【図２】
2005182340.tif 000004
【図３】
2005182340.tif 000005
【図４】
2005182340.tif 000006
【図５】
2005182340.tif 000007
【図６】
2005182340.tif 000008
【図７】
2005182340.tif 000009
【図８】
2005182340.tif 000010